(57)【要約】【課題】接続機器が増えるにつれユーザーが目的とする入力機器を選択できるまでの操作回数が増えてしまうという煩雑さ、および外部機器検出のために準備されていた検出機能および基板配線の為の設計負担を回避できる電子機器を提供することを目的とする。【解決手段】実行モードにおいて機器切換え信号を出力するコントローラと、蓄積された機器間優先順位を示す信号を出力するメモリと、コントローラの出力およびメモリの出力に基づいて制御信号を出力する処理装置と、処理装置の出力に基づいて複数の機器の信号から一の機器の信号を選択する信号選択手段と、を有する。【選択図】図２
2006157113.tif 000002
【特許請求の範囲】
【請求項１】
設定モードにおいて機器間優先順位設定信号を出力し、実行モードにおいて機器切換え信号を出力するコントローラと、
設定モードにおいて後述する処理装置の出力に基づいて機器間優先順位を示す信号を蓄積し、実行モードにおいて蓄積された機器間優先順位を示す信号を出力するメモリと、
設定モードにおいて前記コントローラの出力に基づいてメモリ設定信号を出力し、実行モードにおいて前記コントローラの出力および前記メモリの出力に基づいて制御信号を出力する処理装置と、
実行モードにおいて前記処理装置の出力に基づいて複数の機器の信号から一の機器の信号を選択する信号選択手段と、
を有する電子機器。
【請求項２】
メモリは、不揮発性メモリである請求項１記載の電子機器。
【請求項３】
コントローラは、本体操作手段またはリモートコントローラの出力に基づいて制御される請求項１記載の電子機器。
【請求項４】
機器間優先順位は、スキップ設定を可能とする請求項１記載の電子機器。
【発明の詳細な説明】
【技術分野】
【０００１】
本発明は、複数の入力信号源を接続可能な電子機器に於いてユーザーが容易に目的の入力機器を選択できる手段を提供するものである。
【背景技術】
【０００２】
テレビジョン受像器においてはビデオ、ＤＶＤ等の外部入力機器を接続し、内蔵チューナからの出力信号以外の信号で鑑賞することが多く、また、ゲーム機器、ビデオカメラなど接続機器は多種多様であり数種の機器を接続して使用することが一般的である。また、リモコンボタン、本体ボタンの簡素化のため、入力切換のボタンは接続可能機器数分用意されず、一つのボタンで循環選択とされる（例えば、特許文献１参照。）。
【０００３】
図５は、従来の循環選択タイプの入力切り替えチャートである。現在視聴している入力信号からユーザーが入力切り替えボタンを押すごとに入力選択がひとつ進む。現在内蔵チューナ２０を視聴しているならば、入力切り替えボタンを１回押すと第１の外部入力２１、さらに押すと第２の外部入力２２と切り替わり、テレビジョン受像器の持つ入力数まで達すると内蔵チューナ２０に戻る仕組みである。
【特許文献１】特開２００１−３０９２４８号公報
【発明の開示】
【発明が解決しようとする課題】
【０００４】
しかしながら、これらをカバーする目的で入力信号検出や外部機器差し込み検出を行っているため、外部機器検出のための機構や回路、基板配線を合理化することが困難である。
【０００５】
本発明は、接続機器が増えるにつれユーザーが目的とする入力機器を選択できるまでの操作回数が増えてしまうという煩雑さ、および外部機器検出のために準備されていた検出機能および基板配線の為の設計負担を回避できる電子機器を提供することを目的とする。
【課題を解決するための手段】
【０００６】
本発明は、設定モードにおいて機器間優先順位設定信号を出力し、実行モードにおいて機器切換え信号を出力するコントローラと、設定モードにおいて後述する処理装置の出力に基づいて機器間優先順位を示す信号を蓄積し、実行モードにおいて蓄積された機器間優先順位を示す信号を出力するメモリと、設定モードにおいて前記コントローラの出力に基づいてメモリ設定信号を出力し、実行モードにおいて前記コントローラの出力および前記メモリの出力に基づいて制御信号を出力する処理装置と、実行モードにおいて前記処理装置の出力に基づいて複数の機器の信号から一の機器の信号を選択する信号選択手段と、を有する電子機器であることを特徴とし、循環選択を採用するテレビジョン受像器に於いてユーザーが複数の入力機器について、あらかじめ優先順位を設定しておくことを可能とする。
【０００７】
また、メモリは、不揮発性メモリであることを特徴とする。
【０００８】
さらに、コントローラは、本体操作手段またはリモートコントローラの出力に基づいて制御されることを特徴とする。
【０００９】
また、機器間優先順位は、スキップ設定を可能とすることを特徴とする。
【発明の効果】
【００１０】
本発明によれば複数の機器が接続された状態においても操作回数を従来よりも削減することが可能となる。また、不要な入力端子はスキップ設定することにより接続されていない入力端子を選択してしまうことを排除でき、スムーズに目的の入力機器を選択できる。
【発明を実施するための最良の形態】
【００１１】
（実施の形態１）
図１は、本発明の実施の形態１における電子機器の構成を示すブロック図である。電子機器の一例としてテレビジョン受像器の場合について説明する。テレビジョン受像器１０１はユーザーが要求を行うリモートコントローラ（以下、「リモコン」という。）１０２または本体操作手段である本体操作ボタン１０３により操作される。テレビジョン受像器１０１の外部入力端子１０４には第１の外部機器１０５、第２の外部機器１０６、第３の外部機器１０７、第４の外部機器１０８、第５の外部機器１０９が接続されている。接続する外部機器はユーザーにより異なる。またテレビジョン受像器１０１の内部には内蔵チューナ１１０を有する。
【００１２】
図２は、実行モードにおけるテレビジョン受像器１０１内の信号選択機能の構成を示すブロック図である。
【００１３】
実行モードにおいて、テレビジョン受像器１０１は機器切換え信号を出力するコントローラ１２と、蓄積された機器間優先順位を示す信号を出力する不揮発性メモリ１３と、前記コントローラ１２の出力および前記不揮発性メモリ１３の出力に基づいて制御信号を出力する処理装置１１と、前記処理装置１１の出力に基づいて複数の機器の信号から一の機器の信号を選択する信号選択手段１０と、を有する。即ち、ユーザーがリモコン１０２または本体操作ボタン１０３を操作するとコントローラ１２から入力切り替えを要求する機器切換え信号が出力される。機器切換え信号は不揮発性メモリ１３に書き込まれている蓄積された機器間優先順位を示す信号に従って処理装置１１で解読される。そして信号選択回路１０に制御信号が出力される。信号選択回路１０は受け取った制御信号を解読し内蔵チューナ１１０、第１の外部機器１０５乃至第５の外部機器１０９から一の機器を選択し映像および音声信号を出力する。映像および音声信号は映像音声処理手段（図示せず）に送られる。
【００１４】
一方、設定モードにおいて、テレビジョン受像器１０１は機器間優先順位設定信号を出力するコントローラ１２と、設定モードにおいて後述する処理装置の出力に基づいて機器間優先順位を示す信号を蓄積する不揮発性メモリ１３と、設定モードにおいて前記コントローラ１２の出力に基づいてメモリ設定信号を出力する処理装置１１と、を有する。
【００１５】
図３は、設定モードにおいてユーザーがテレビジョン受像器１０１のメニュー内で内蔵チューナ１１０および外部入力端子１０４に接続された外部機器１０５〜１０９の優先順位を設定する際の画面を示す図である。各機器について現在の優先順位と変更後の優先順位が表示される。画面上で優先順位変更を行うと設定した内容は図２中の不揮発メモリ１３に書き込まれる。以後、設定が反映された順番で内蔵チューナ１１０および外部入力端子１０４に接続された外部機器１０５〜１０９の選択が行われる。
【００１６】
また、設定モードにおいて、ある機器の優先順位に「０」を入力すると当該機器をスキップ設定できる。スキップ設定された機器は、実行モードにおいて、コントローラ１２から入力切り替えを要求する機器切換え信号が出力されても循環切換の中から表面上削除される。
【００１７】
図４は優先順位設定後の循環チャートである。リモコン１０２等の入力切り替えボタンを押してコントローラ１２から入力切り替えを要求する機器切換え信号が出力されると不揮発性メモリ１３の内容が読み出され、現在視聴中の機器から優先順位１位の機器に切り替わる。再び機器切換え信号が出力されると優先順位２位の機器に切り替わる。以下同様にして優先順位が最後の機器に切り替わり、次は再び優先順位１位の機器となる。但しスキップ設定された機器が２個あるため優先順位は１から４までに限られる。
【００１８】
尚、以上の説明では不揮発性メモリを用いて説明したが、電源供給時のみ記憶を保持する揮発性メモリ等のメモリでもよい。
【００１９】
以上のように、テレビジョン受像器にあらかじめ設けられたユーザーの好みに応じた各種設定を行えるメニューにより外部入力機器の接続端子順に関係なくユーザーがそれぞれの入力に優先順位を付与できるようにすることで実現した。また、この設定は不揮発性メモリに書き込まれるため、一度設定すれば内容が保持される。
【産業上の利用可能性】
【００２０】
既存のシステムにソフトウェア変更を加えるだけで実現できることから容易に実現が可能であり利用の可能性は高い。
【図面の簡単な説明】
【００２１】
【図１】本発明の実施の形態１における電子機器の構成を示すブロック図
【図２】本発明の実施の形態１における信号選択機能の構成を示すブロック図
【図３】優先順位を設定する際の画面を示す図
【図４】優先順位設定後の循環チャート
【図５】従来の入力切り替え循環チャート
【符号の説明】
【００２２】
１０    信号選択手段
１１    処理装置
１２    コントローラ
１３    不揮発性メモリ
１０１    テレビジョン受像器
１０２    リモコン
１０３    本体操作ボタン
１０４    外部入力端子
１０５    第１の外部機器
１０６    第２の外部機器
１０７    第３の外部機器
１０８    第４の外部機器
１０９    第５の外部機器
１１０    内蔵チューナ
【図１】
2006157113.tif 000003
【図２】
2006157113.tif 000004
【図３】
2006157113.tif 000005
【図４】
2006157113.tif 000006
【図５】
2006157113.tif 000007